(57)【要約】      （修正有）【課題】建物の開口部の全開状態または全閉状態の少なくともいずれか一方の状態を容易に保持することを可能とするスクリーン装置における移動框の停止構造を提供する。【解決手段】開口部のスクリーンによる全閉状態または全開状態の少なくともいずれか一方において、第１のガイド枠における移動框５の第１の端部と対向する第１の面部、または第２のガイド枠４の移動框の第２の端部５ｂと対向する第２の面部４ａのいずれか一方に、移動框の第１の端部または第２の端部に向かって突出する第１の凸部１４が設けられ、移動框の第１の端部または第２の端部のいずれか一方に、開口部の幅方向から第１の凸部に接触可能な第２の凸部１５が設けられ、第１の凸部と第２の凸部の接触により開口部における移動框の移動が停止される。【選択図】図２
0003207176.tif 000002
【実用新案登録請求の範囲】
【請求項１】
正面視矩形形状を有し、その幅方向に延びる第１の端縁に沿って第１のガイド枠が固定され、前記第１の端縁と対向して位置する第２の端縁に沿って第２のガイド枠が固定された、建物の開口部に取り付けられ、前記開口部を開閉するスクリーン装置において、
前記スクリーン装置は、
前記開口部の前記幅方向に直交する長さ方向に延び、第１の端部と、この第１の端部と対向して配置された第２の端部とを有し、前記第１の端部が前記第１のガイド枠にガイドされ、かつ第２の端部が前記第２のガイド枠にガイドされて前記開口部を前記幅方向に移動可能である移動框と、
前記開口部の前記長さ方向に延び、前記開口部において、前記第１の端縁と前記第２の端縁の両方に直交する第３の端縁に固定された固定框と、
前記移動框と前記固定框の間に設けられ、前記開口部の前記幅方向に一定間隔で形成された複数のプリーツを有し、前記移動框の移動にともなって前記プリーツにより収縮および展開するスクリーンと、
このスクリーンを、前記プリーツを貫通して配線され、支持する張力部材と
を備え、
前記開口部の前記スクリーンによる全閉状態または全開状態の少なくともいずれか一方において、前記第１のガイド枠における前記移動框の前記第１の端部と対向する第１の面部、または第２のガイド枠における前記移動框の前記第２の端部と対向する第２の面部のいずれか一方に、前記移動框の前記第１の端部または前記第２の端部に向かって突出する第１の凸部が設けられ、前記移動框の前記第１の端部または前記第２の端部のいずれか一方に、前記開口部の前記幅方向から前記第１の凸部に接触可能な第２の凸部が設けられ、
前記第１の凸部と前記第２の凸部の接触により前記開口部における前記移動框の移動が停止される
ことを特徴とするスクリーン装置における移動框の停止構造。
【請求項２】
複数の前記第２の凸部が、前記移動框の前記第１の端部または前記第２の端部に設けられ、かつ複数の前記第１の凸部が、前記第１の面部または前記第２の面部に設けられ、隣り合う二つの第１の凸部間に前記第２の凸部の一つが配置されて前記第１の凸部と前記第２の凸部が接触可能とされていることを特徴とする請求項１に記載のスクリーン装置における移動框の停止構造。
【請求項３】
前記第１の凸部は、その断面において、傾きが急な傾斜面を備え、この傾斜面と前記第２の凸部の接触により前記開口部における前記移動框の移動が停止されることを特徴とする請求項１または２に記載のスクリーン装置における移動框の停止構造。
【請求項４】
複数の前記第１の凸部が、長さ方向に一定間隔で形成された薄板が、移動框の停止位置に対応して第１のガイド枠または第２のガイド枠の少なくともいずれか一方に固定されていることを特徴とする請求項１から３のいずれか一項に記載のスクリーン装置における移動框の停止構造。
【考案の詳細な説明】
【技術分野】
【０００１】
本考案は、スクリーン装置における移動框の停止構造に関する。
【背景技術】
【０００２】
本出願人は、建物の開口部を開閉する、カーテン、ブラインドや網戸などとして使用可能なスクリーン装置をこれまでに提案し、提供してきている。このスクリーン装置は、たとえば、特開平０５−１７９８７５号公報（特許文献１）に記載されたものを基本とし、特開２０００−１４５３１４号公報（特許文献２）や特開２００１−０７３６５５号公報（特許文献３）などに記載されたものへと発展している。
【０００３】
以上のスクリーン装置の中には、建物の開口部の横幅方向に複数のプリーツがスクリーンに形成され、プリーツの折り畳みおよび展開によりスクリーンが建物の開口部を開閉可能としたものがある。このようなスクリーン装置では、展開時に風圧などの外力を受けて前記スクリーンが撓むのを抑制し、かつ自立性を持たせるなどのために、紐などの張力部材を前記プリーツを貫通させて配線し、この張力部材によって前記スクリーンを支持するのが一般的である。
【先行技術文献】
【特許文献】
【０００４】
【特許文献１】特開平０５−１７９８７５号公報
【特許文献２】特開２０００−１４５３１４号公報
【特許文献３】特開２００１−０７３６５５号公報
【考案の概要】
【考案が解決しようとする課題】
【０００５】
ところで、複数の前記プリーツが形成された前記スクリーンでは、折り畳まれ、収縮したときに展開する方向に復元力が発生し、この復元力は、前記スクリーンの材質によって異なるが、前記スクリーンの開閉操作を行う移動框を、前記開口部を閉鎖する方向に押し返すことがある。このようにして前記移動框が押し返されると、前記開口部の全開状態が得られず、開口幅が狭くなるという不都合が生じる。
【０００６】
また、前記復元力は、前記スクリーンが展開されたときにも同様に発生する場合がある。このときの復元力は、スクリーン自体の弾力性や風圧などの外力が作用して発生するが、その方向は、前記移動框を前記開口部の内側に移動させる方向となる。このため、前記開口部の全閉状態が得られず、前記開口部の端縁と前記移動框の間に隙間が形成され、この隙間を通じて光の漏出や虫の侵入などといった問題が生じる。
【０００７】
前記開口部の全閉状態を保持させるためには、たとえば、前記開口部の全閉状態のときに位置する前記移動框と、この移動框に対向して位置する前記開口部の一端縁に設けることができる戸当りなどとの間に、磁気吸引力を利用したロック機構や、ラッチなどの機械的なロック機構を設けることが一応考えられる。
【０００８】
しかしながら、そのようなロック機構を設けることは、スクリーン装置の構造を複雑化させたり、部品点数が増加したりするため、スクリーン装置のコストに反映され、必ずしも適当であるとはいえない場合がある。
【０００９】
本考案は、以上のとおりの事情に鑑みてなされたものであり、建物の開口部の全開状態または全閉状態の少なくともいずれか一方の状態を容易に保持することを可能とするスクリーン装置における移動框の停止構造を提供することを課題としている。
【課題を解決するための手段】
【００１０】
上記の課題を解決するために、本考案のスクリーン装置における移動框の停止構造は、正面視矩形形状を有し、その幅方向に延びる第１の端縁に沿って第１のガイド枠が固定され、前記第１の端縁と対向して位置する第２の端縁に沿って第２のガイド枠が固定された、建物の開口部に取り付けられ、前記開口部を開閉するスクリーン装置に適用される。
【００１１】
前記スクリーン装置は、前記開口部の前記幅方向に直交する長さ方向に延び、第１の端部と、この第１の端部と対向して配置された第２の端部とを有し、前記第１の端部が前記第１のガイド枠にガイドされ、かつ第２の端部が前記第２のガイド枠にガイドされて前記開口部を前記幅方向に移動可能である移動框を備える。
【００１２】
また、前記スクリーン装置は、前記開口部の前記長さ方向に延び、前記開口部において、前記第１の端縁と前記第２の端縁の両方に直交する第３の端縁に固定された固定框を備える。さらに、前記スクリーン装置は、前記移動框と前記固定框の間に設けられ、前記開口部の前記幅方向に一定間隔で形成された複数のプリーツを有し、前記移動框の移動にともなって前記プリーツにより収縮および展開するスクリーンを備える。そして、前記スクリーン装置は、前記スクリーンを、前記プリーツを貫通して配線され、支持する張力部材を備える。
【００１３】
本考案のスクリーン装置における移動框の停止構造は、前記開口部の前記スクリーンによる全閉状態または全開状態の少なくともいずれか一方において、前記第１のガイド枠における前記移動框の前記第１の端部と対向する第１の面部、または第２のガイド枠における前記移動框の第２の端部と対向する第２の面部のいずれか一方に、前記移動框の前記第１の端部または前記第２の端部に向かって突出する第１の凸部が設けられ、前記移動框の前記第１の端部または前記第２の端部のいずれか一方に、前記開口部の前記幅方向から前記第１の凸部に接触可能な第２の凸部が設けられ、前記第１の凸部と前記第２の凸部の接触により前記開口部における前記移動框の移動が停止されることを特徴とする。
【考案の効果】
【００１４】
本考案のスクリーン装置における移動框の停止構造によれば、建物の開口部の全開状態または全閉状態の少なくともいずれか一方の状態を容易に保持することを可能とする。
【図面の簡単な説明】
【００１５】
【図１】（ａ）（ｂ）は、それぞれ、本考案のスクリーン装置における移動框の停止構造を適用することが可能なスクリーン装置の一形態を示した正面図、Ａ−Ａ断面図である。
【図２】（ａ）（ｂ）は、それぞれ、本考案のスクリーン装置における移動框の停止構造の一実施形態を示した要部断面図である。
【図３】本考案のスクリーン装置における移動框の停止構造に採用可能な、第１の凸部の形成方式の一形態を示した斜視図である。
【考案を実施するための形態】
【００１６】
図１（ａ）（ｂ）は、それぞれ、本考案のスクリーン装置における移動框の停止構造を適用することが可能なスクリーン装置の一形態を示した正面図、Ａ−Ａ断面図である。
【００１７】
スクリーン装置１は、正面視矩形形状を有する建物の開口部２に取り付けられ、開口部２を開閉する。開口部２では、幅ｗの方向に延びる第１の端縁２ａに沿って第１のガイド枠３が固定されている。また、開口部２では、第１の端縁２ａと対向して位置する第２の端縁２ｂに沿って第２のガイド枠４が固定されている。
【００１８】
第１のガイド枠３は、その断面がＵ字状の形状を有し、かつ全長が、第１の端縁２ａの長さと同じであることが好ましく例示される。この場合の第１のガイド枠３は、たとえば、開口部２の表裏に対向して配置可能であり、平板状とされた一対の側板３ａと、側板３ａの一端を相互に接続する平板状の固定板（図示なし）とを備えたものが例示される。このような第１のガイド枠３は、前記固定板を第１の端縁２ａに沿って配置し、一対の側板３ａの間において、たとえばビスなどの固着具を第１のガイド枠３の内部に挿入し、第１の端縁２ａに向けてねじ込むことによって第１の端縁２ａに容易に取り付けることができる。第２のガイド枠４にも第１のガイド枠３と同様な構造を有するものを採用することができる。この場合、第２のガイド枠４の第２の端縁２ｂへの取付けは、第１のガイド枠３と同様にして行うことができる。また、第１のガイド枠３および第２のガイド枠４の取付けは、両面テープなどを使用して粘着により行うこともできる。この場合、第１の端縁２ａと前記固定板、および第２の端縁２ｂと前記固定板と同様な固定板とを粘着させることが例示される。
【００１９】
第１のガイド枠３および第２のガイド枠４は、たとえばアルミニウムなどの軽量な金属から形成することができる。また、金属製のものと同等な剛性や耐久性などを実現可能であれば、第１のガイド枠３および第２のガイド枠４は樹脂製とすることもできる。いずれの場合にも、押出成形などによって第１のガイド枠３および第２のガイド枠４を形成することができる。
【００２０】
スクリーン装置１は、開口部２の幅ｗの方向に直交する長さｌの方向に延びる移動框５を備えている。移動框５は、その長さ方向の端部として、第１の端部５ａと、第１の端部５ａと対向して配置された第２の端部５ｂとを有している。移動框５は、第１の端部５ａが第１のガイド枠３にガイドされ、かつ第２の端部５ｂが第２のガイド枠４にガイドされて開口部２を幅ｗの方向に移動可能とされている。このような移動がスムーズに行われるようにするためには、移動框５の長さは、開口部２の長さｌよりも短くする一方、第１の端部５ａと第２の端部５ｂが第１のガイド枠３と第２のガイド枠４の内部に収納される長さとすることが好ましい。第１のガイド枠３および第２のガイド枠４が、前述のとおりの断面Ｕ字状の形状を有する場合、移動框５では、第１の端部５ａが第１のガイド枠３の内部に、かつ第２の端部５ｂがガイド枠４の内部に挿入可能であり、開口部２の幅ｗの方向の移動を安定化させることができる。
【００２１】
また、スクリーン装置１は、移動框５と同様に、開口部２の長さｌの方向に延びる固定框６を備えている。固定框６は、移動枠５と対向して配置されており、かつ開口部２において、第１の端縁２ａと第２の端縁２ｂの両方に直交する第３の端縁２ｃに固定されている。固定框６の長さは、たとえば、移動框５と同じ長さとすることができる一方、第３の端縁２ｃの長さと同じ長さとすることもできる。スクリーン装置１の外観上の観点からは、固定框６の長さは移動框５と同じ長さとすることが好ましい。この場合、固定框６における第１のガイド枠３側の端部および第２のガイド枠４側の端部を、移動框５と同様に第１のガイド枠３および第２のガイド枠４の内部に挿入することが可能である。固定枠６の第３の端縁２ｃへの固定方式は、たとえば、ビスなどの固着具や粘着テープなどの使用を例示することができる。
【００２２】
移動框５および固定框６は、軽量化などを図るために、ともに、中空な部材とすることが好ましい。一方、中空な部材であっても必要とされる強度を実現するために、移動框５および固定框６は、たとえばアルミニウムなどの軽量な金属から形成することができる。また、金属製のものと同等な剛性や耐久性などを実現可能であれば、樹脂製とすることもできる。
【００２３】
なお、開口部２において第３の端縁２ｃに対向して配置された第４の端縁２ｄには戸当り７を設けることが好ましい。戸当り７の存在によって、開口部２を閉め切るときに移動框５が第４の端縁２ｄと衝突するのを緩和させることができ、衝撃音の抑制、第４の端縁２ｄおよび移動框５の損傷の抑制などに有効となる。戸当り７もまた、軽量化などのために中空な部材とすることができる。移動框５および固定框６と同様に、戸当り７は、たとえばアルミニウムなどの軽量な金属から形成することができる。また、金属製のものと同等な剛性や耐久性などを実現可能であれば、樹脂製とすることもできる。
【００２４】
また、スクリーン装置１は、移動框５と固定框６の間にスクリーン８を備えている。スクリーン８は、開口部２の幅ｗの方向に一定間隔で形成された複数のプリーツ８ａを有し、移動框５の移動にともなってプリーツ８ａにより収縮および展開する。スクリーン８は、移動框５が固定框６側に位置するとき、プリーツ８ａにおいて折り畳まれ収縮し、開口部２を開放する。一方、スクリーン８は、移動框５が戸当り７側に移動すると展開し、開口部２を閉鎖する。このように、スクリーン装置１は、移動框５が固定框６に当接して位置するとき、開口部２を全開状態とし、移動框５が戸当り７に当接して位置するとき、開口部２をスクリーン８によって全閉状態とする。このような全閉状態が可能となる大きさをスクリーン８は有してもいる。
【００２５】
スクリーン８は、スクリーン装置１の用途に応じて、図１（ａ）に示したネットの他、シート、布などから適宜選択することができる。ネットやシートの場合、スクリーン８は、金属製や樹脂製などとすることができる。
【００２６】
このようなスクリーン８は、移動框５と固定框６の両方に取り付けることができる。たとえば図１（ｂ）に示したように、スクリーン８において移動框５側、固定框６側のそれぞれに位置する端部には、開口部２の長さｌの方向と同じ方向に延びる１枚の取付プレート９を設けることができる。取付プレート９には、移動框５および固定框６の両方に十分な強度で取り付けることのできる金属製や樹脂製の板材を採用することができる。この場合、移動框５および固定框６では、相互に対向する側に取付部１０を形成することができる。取付部１０は、移動框５では固定框６と対向する端部に位置し、固定框６では移動框５に対向する端部に位置する。また、取付部１０は、ともに中空状の形状を有するものとすることができ、相互に対向する側に開口１１を形成することができる。さらに、取付部１０では、開口１１の一端縁に相当する部分に、移動框５および固定框６の裏面側から正面側に向かって突出する取付片１２を設けることができる。
【００２７】
この場合、スクリーン８は、取付プレート９を開口１１を通じて取付部１０の内部に挿入することにより、移動框５および固定框６の両方に取り付けることができる。この取付けは、取付プレート９が取付片１２に引っ掛かり、いわゆる片持ち式で保持されることによる。
【００２８】
また、スクリーン装置１は、スクリーン８を、プリーツ８ａを貫通して配線され、支持する張力部材１３を備えている。張力部材１３には、紐、ワイヤーなどのスクリーン８の材質に応じた適宜なものを採用することができる。張力部材１３のスクリーン８における位置や本数、また、配線方式は、従来公知の中から適宜なものを選択することができる。
【００２９】
図２（ａ）（ｂ）は、それぞれ、本考案のスクリーン装置における移動框の停止構造の一実施形態を示した要部断面図である。
【００３０】
図２（ａ）（ｂ）に示した移動框の停止構造は、図１（ａ）（ｂ）に示したスクリーン装置１ばかりでなく、スクリーン装置１と基本的に同種の構造を有するスクリーン装置に広く採用可能である。
【００３１】
移動框５の停止構造では、図１（ａ）に示した開口部２のスクリーン８による全閉状態または全開状態の少なくともいずれか一方において、第１のガイド枠３における移動框５の第１の端部５ａと対向する第１の面部（図示なし）、または第２のガイド枠４における移動框５の第２の端部５ｂと対向する第２の面部４ａのいずれか一方に、移動框５の第１の端部５ａまたは第２の端部５ｂに向かって突出する第１の凸部１４が設けられる。
【００３２】
また、移動框５の停止構造では、移動框５の第１の端部５ａまたは第２の端部５ｂのいずれか一方に、図１（ａ）に示した開口部２の幅ｗの方向から第１の凸部１４に接触可能な第２の凸部１５が設けられる。このような移動框５の停止構造では、第１の凸部１４と第２の凸部１５の接触により開口部２における移動框５の移動が停止される。
【００３３】
具体的には、図２（ａ）（ｂ）に示した移動框５の停止構造は、第１の凸部１４が第２のガイド枠４に設けられ、第２の凸部１５が、移動框５の第２の端部５ｂに設けられる場合の一形態である。第２のガイド枠４が、前述したように、断面Ｕ字状の形状を有する場合、第２の面部４ａとして平板状の固定板４ｂを選択することができ、固定板４ｂに第１の凸部１４を設けることができる。第１の凸部１４は、たとえば、その断面形状として、半円形の他、矩形波、三角波、正弦波などの波型形状における突出する部分の形状とすることができる。なお、矩形波や三角波などの角張る部分は滑らかな曲線とすることが好ましい。その理由は、移動框５が、図１（ａ）に示した開口部２の幅ｗの方向に移動するのを阻害せずに済み、スムーズな移動を可能にするからである。
【００３４】
また、第１の凸部１４は、固定板４ｂにおいて、第２のガイド枠４の側板（図示なし）寄りの部分に部分的に設けたり、前記側板間にわたって延びるように設けたりすることもできる。
【００３５】
第２の凸部１５は、第１の凸部１４に、図１（ａ）に示した開口部２の幅ｗの方向から接触可能となるために、第２のガイド枠４側に位置する移動框５の第２の端部５ｂにおいて、第２のガイド枠４の固定板４ｂに対向する端面５ｃに設けることができる。第２の凸部１５の断面形状は、第１の凸部１４に、図１（ａ）に示した開口部２の幅ｗの方向から接触可能となる限り、任意の形状とすることができる。たとえば、半円形、矩形、三角形などが例示される。なお、矩形や三角形などの角張る部分は、第１の凸部１４と同様な理由により滑らかな曲線とすることが好ましい。
【００３６】
第２の凸部１５は、端面５ｃにおいて、移動框５の表面側および裏面側の部分に前記表面および前記裏面に沿って部分的に設けたり、移動框５の表裏面にわたって延びるように設けたりすることができる。
【００３７】
第１の凸部１４と第２の凸部１５の接触は線接触または面接触のいずれも可能であるが、面接触の方が移動框５の移動の停止により有効である。第２の凸部１５が、第１の凸部４に、図１（ａ）に示した開口部２の幅ｗの方向から接触することにより、移動框５は、停止した状態を保持することができる。図１（ａ）（ｂ）に示したスクリーン８において、折り畳まれ、収縮したときに展開する方向に復元力が発生しても、第１の凸部１４と第２の凸部１５の接触が、前記復元力による移動框５の移動を阻止することができる。このため、図１（ａ）に示した開口部２の全開状態は、安定に保持され、開口幅が狭くなるなどの不都合を抑制することができる。同様に、スクリーン８には、展開状態においても、前述のとおりの復元力が発生する場合があるが、この復元力による移動框５の移動も、第１の凸部１４と第２の凸部１５の接触により阻止される。このため、開口部２の全閉状態は、安定に保持され、開口部２の端縁と移動框５の間に隙間が形成されるのが抑制される。したがって、前記隙間を通じて光の漏出や虫の侵入などといった問題も生じにくくなる。
【００３８】
このように、図１（ａ）に示した開口部２の全開状態または全閉状態の少なくともいずれか一方は、第１凸部１４と第２凸部１５の接触により容易に実現可能である。このため、磁気吸引力を利用するロック機構や、ラッチなどの機械的なロック機構を省略することが可能であり、移動框５の停止構造は、図１（ａ）（ｂ）に示したスクリーン装置１のコスト低減を図ることにも有効となる。
【００３９】
なお、移動框５を停止させるために必要とされる第１の凸部１４の突出代ｈは0.5mm〜1mm程度で十分である。したがって、第１の凸部１４が、移動框５の移動への支障となることはほとんどなく、停止した移動框５を移動させるときには、移動框５を第２の凸部１５が第１の凸部１４から離れるようにわずかに移動させるだけで済む。
【００４０】
また、移動框５の停止構造では、複数の第２の凸部１５を、移動框５の第１の端部５ａまたは第２の端部５ｂに設け、かつ複数の第１の凸部１４を、図１（ａ）（ｂ）に示した第１のガイド枠３の第１の面部（図示なし）または第２のガイド枠４の第２の面部４ａに設けることができる。そして、隣り合う二つの第１の凸部１４間に第２の凸部１５の一つが配置されて第１の凸部１４と第２の凸部１５が接触可能とすることができる。この場合、図２（ｂ）に示したように、第１の凸部１４と第２の凸部１５の接触は、第２の凸部１５の各一つが第１の凸部１４の各一つと噛み合うように接触することとなり、移動框５の停止をより確実に実現させることができる。
【００４１】
また、第１の凸部１４の数は第２の凸部１５の数よりも多くすることができる。図１（ａ）（ｂ）に示したスクリーン８の大きさは、開口部２の大きさに対応するため、大きさは一定ではなく、折り畳んで収縮したときの、開口部２の幅ｗの方向と同じ方向のスクリーン８の寸法も一定ではない。第１の凸部１４の数を第２の凸部１５の数よりも多くしておけば、スクリーン８が収縮した寸法に応じて移動框５を停止させることができ、かつ移動框５の停止状態を保持することができる。また、スクリーン装置１の部品点数の削減にも有効となる。
【００４２】
また、移動框５の停止構造では、第１の凸部１４は、その断面において、傾きが急な傾斜面１４ａを備え、傾斜面１４ａと第２の凸部１５の接触により、図１（ａ）に示した開口部２における移動框５の移動が停止されるようにすることができる。傾きが急な傾斜面１４ａは、第２の凸部１５との接触をより確実とし、かつ接触面積を増大させる。このため、移動框５の停止状態をより安定に保持するのに有効となる。傾斜面１４ａは、第１の凸部１４において移動框５を停止させる側に配置するのが好ましい。すなわち、図１（ａ）に示したスクリーン８が収縮する方向、具体的には固定框６側に傾斜面１４ａを配置するのが好ましい。同様に、開口部２の全閉状態を保持するためには、スクリーン８の展開方向、具体的には戸当り７側に傾斜面１４ａを配置するのが好ましい。傾斜面１４ａの傾斜角度の目安としては、45°〜90°が例示される。
【００４３】
一方、第１の凸部１４の断面において傾斜面１４ａと反対側に位置する部分は、前述した第１の凸部１４の断面形状に応じて適宜に選択可能である。一形態として、図２（ａ）（ｂ）に示したような傾斜面１４ｂが例示される。ただし、傾斜面１４ｂは、傾斜面１４ａとは異なり、傾きは緩やかとするのが好ましい。傾きが緩やかな傾斜面１４ｂは、移動框５のスムーズな移動に寄与する。すなわち、図２（ａ）（ｂ）に示した移動框５の停止構造の場合には、図１（ａ）に示したスクリーン８のスムーズな展開に寄与する。傾斜面１４ｂの傾斜角度の目安としては、15°〜30°が例示される。
【００４４】
第２の凸部１５には、そのような第１の凸部１４に応じた適宜な断面形状を採用することができる。たとえば、傾斜面１４ａと接触する側は、端面５ｃに対して切り立った形状とすることができ、傾斜面１４ｂ側は、湾曲した形状などの傾斜面１４ｂとの干渉を抑えた形状とすることができる。
【００４５】
なお、図２（ａ）（ｂ）に示した移動框５の停止構造は、前述したように、第１の凸部１４を図１（ａ）に示した第２のガイド枠４に設け、かつ第２の凸部１５を移動框５の第２の端部５ｂに設けた一形態である。したがって、第２のガイド枠４が断面Ｕ字型の形状を有する場合、第１の凸部１４が設けられる第２の面部４ａは、固定板４ｂばかりでなく、図１（ａ）に例示した第１のガイド枠３の側板３ａに対応する側板（図示なし）とすることもできる。ただし、この場合、第１の凸部１４は前記側板の内側の面に設ける。一方、第１の凸部１４を設ける前記側板は、少なくともいずれか一方とすることができる。また、第２の凸部１５は、第２の端部５ｂの表面または裏面の少なくともいずれか一方とすることができる。同様に、移動框５の停止構造では、第１の凸部１４は第１のガイド枠３に設けることもでき、この場合、第２の凸部１５は、移動框５の第１の端部５ａに設ける。この場合の第１の凸部１４と第２の凸部１５を設ける具体的な部位は、上記と同様とすることができる。
【００４６】
第１の凸部１４の形成は、たとえば、第１のガイド枠３や第２のガイド枠４と一体に、または別体として設けることができる。同様に、第２の凸部１５の形成も、移動框５の第１の端部５ａまたは第２の端部５ｂと一体に、または別体として設けることができる。ただし、第２の凸部１５については、第１の端部５ａまたは第２の端部５ｂと、たとえば射出成型などにより一体に設けるのが容易であり、好ましい。
【００４７】
図３は、本考案のスクリーン装置における移動框の停止構造に採用可能な、第１の凸部の形成方式の一形態を示した斜視図である。
【００４８】
図２（ａ）（ｂ）に例示されるような移動框５の停止構造では、第１の凸部１４を設けるために、たとえば、複数の第１の凸部１４が、長さ方向に一定間隔で形成された薄板１６を用いることができる。この場合、薄板１６は、移動框５の停止位置に対応して、図１（ａ）（ｂ）に示した第１のガイド枠３または第２のガイド枠４の少なくともいずれか一方に固定することができる。薄板１６は、たとえばアルミニウムなどの軽量な金属から形成することができる。金属製の薄板１６の場合、第１の凸部１４は、薄板１６に対してプレス加工などを施すことにより形成可能であり、図２（ａ）（ｂ）に示した傾斜面１４ａおよび傾斜面１４ｂの形成も可能である。薄板１６の厚さの目安としては、0.1mm〜0.3mmが例示される。
【００４９】
このような薄板１６は、第１のガイド枠３または第２のガイド枠４に接着剤や粘着テープなどを用いて所望の部分に固定することができる。また、第１の凸部１４は、第１のガイド枠３や第２のガイド枠４と別体とした薄板１６に形成されているので、移動框５の停止構造は、既設のスクリーン装置１にも適用可能である。
【００５０】
なお、本考案のスクリーン装置における移動框の停止構造が適用可能なスクリーン装置は、図１（ａ）（ｂ）に例示したスクリーン装置１に限定されることはなく、これまでに提案、提供されたスクリーン装置に等しく適用可能である。
【符号の説明】
【００５１】
１  スクリーン装置
２  開口部
２ａ  第１の端縁
２ｂ  第２の端縁
２ｃ  第３の端縁
３  第１のガイド枠
４  第２のガイド枠
４ａ  第２の面部
５  移動框
５ａ  第１の端部
５ｂ  第２の端部
６  固定框
８  スクリーン
８ａ  プリーツ
１３  張力部材
１４  第１の凸部
１４ａ  傾斜面
１５  第２の凸部
１６  薄板
ｗ  幅
ｌ  長さ
【図２】
0003207176.tif 000003
【図３】
0003207176.tif 000004
【図１】
0003207176.tif 000005